(57)【要約】【課題】  電池カバーの取り外し操作が容易に行え、かつ衝撃を受けたときでも電池カバーが不意に外れるのを回避できるカードキーを提供する。【解決手段】  電池カバー５の係合凸部２０ａ，２０ｂとカードキー本体２の係合凹部２２ａ，２２ｂとの係合により電池カバー５をカードキー本体２に取り付ける構成とする。また、相互間で係合する係合凹部２２ａ，２２ｂ及び係合凸部２０ａ，２０ｂの各係合当接面２５，２６を、電池カバー５のスライド方向Ｘ１−Ｘ２に対して９０°の角度で延設された面で形成するとともに、電池カバー５の第２端辺部５ｂとの干渉を避けて第１端辺部５ａの撓みを許容することにより電池カバー５の引き抜きを可能にする逃げ傾斜面２３ａ，２３ｂをカードキー本体２に設ける。これにより、電池カバー５の取り外し操作が容易に行え、かつ衝撃を受けたときでも電池カバー５が不意に外れるのを回避できる。【選択図】  図４
2014077245.tif 000002
【特許請求の範囲】
【請求項１】
車載機器との間で無線通信を行う電子部品（１２）を実装した回路基板（１０）及び該回路基板に電力を供給する電池（４）を収容するカードキー本体（２）を備えたカードキー（１）であって、
前記カードキー本体に形成されて前記電池を収容する電池収容部（３ｃ）と、
該電池収容部を開閉するように前記カードキー本体に対してスライドして着脱可能に設けられる電池カバー（５）と、を備え、
前記電池カバーは、２つの端辺部（５ａ，５ｂ）とこの各端辺部を連結する連結辺部（５ｃ）とを有する断面コの字形状に形成され、一方の端辺部である第１端辺部（５ａ）が撓み可能に設けられる一方、他方の端辺部である第２端辺部（５ｂ）の前記カードキー本体との対向面にはカードキー本体に形成された本体係合部（２２ａ，２２ｂ，４０ａ，４０ｂ，５１）と係合するカバー係合部（２０ａ，２０ｂ，４１ａ，４１ｂ，５２）が形成され、
前記本体係合部及び前記カバー係合部の各々の係合当接面（２５，２６，４２，４３）は、相互間の係合状態において前記電池カバーのスライド方向に対して９０°±４５°の範囲内の角度で延設された面で形成され、
前記カードキー本体には、前記電池カバーが装着された状態で前記第２端辺部との干渉を避けて前記第１端辺部の撓みを許容することにより電池カバーの引き抜きを可能にする干渉逃げ部（２３ａ，２３ｂ，３２）が設けられることを特徴とするカードキー。
【請求項２】
前記本体係合部を形成する面は、前記電池カバーのスライド方向と平行であり、かつ電池カバーが装着された状態で前記第２端辺部の内壁面と当接する当接面（２１ａ，２１ｂ）からなる請求項１に記載のカードキー。
【請求項３】
前記干渉逃げ部は、前記電池カバーのスライド方向に沿って傾斜して電池カバーのスライド装着を案内する機能を兼ね備えた逃げ傾斜面（２３ａ，２３ｂ）からなる請求項１又は２に記載のカードキー。
【請求項４】
前記本体係合部は、前記逃げ傾斜面における前記電池カバーのスライド装着方向の延長線上に配置される請求項３に記載のカードキー。
【請求項５】
前記カバー係合部は、少なくとも前記第２端辺部の内壁面と前記逃げ傾斜面とが面接触した状態で前記本体係合部との係合を解除する請求項３又は４に記載のカードキー。
【請求項６】
前記カバー係合部は、前記電池カバーのスライド方向と直交する横幅方向の両端部分に各々設けられ、前記本体係合部が各カバー係合部と個々に対応して設けられる請求項１ないし５のいずれか１項に記載のカードキー。
【請求項７】
前記カバー係合部は凸形状の係合凸部（２０ａ，２０ｂ，５２）からなる一方、前記本体係合部は凹形状の係合凹部（２２ａ，２２ｂ，５１）からなり、前記係合凸部及び前記係合凹部における前記電池カバーの引き抜き方向側の面が前記係合当接面をなす請求項１ないし６のいずれか１項に記載のカードキー。
【請求項８】
前記係合凸部における前記電池カバーの引き抜き方向とは反対側の面は、前記電池カバーのスライド方向に沿って傾斜して電池カバーのスライド装着を案内する案内傾斜面（３０）をなす請求項７に記載のカードキー。
【発明の詳細な説明】
【技術分野】
【０００１】
本発明は、カードキーに関し、特に自動車において電子キー（携帯機）として機能するカードキーに関する。
【背景技術】
【０００２】
従来、車両用のワイヤレス送受信機として、財布に収容可能な薄型のカードキーが提案されている。カードキーは、車載機器からの問い合わせ信号に応じたＩＤコードを車載機器に送信することで、ＩＤコードの照合の一致を条件として、車両のドアロック／ドアアンロックを許可したりエンジン始動を許可する。また、カードキーは、例えば特許文献１に記載されているように、駆動源としての電池（例えばボタン型電池）を交換可能に収容する電池収容部を有するカードキー本体と電池収容部を閉塞する電池カバーとを備えている。電池カバーの構造としては、図１４に示すように、カードキー本体１００の電池収容部１０１内に電池カバー１１０の挿入突片部１１１を挿入して電池収容部１０１を閉塞するものと、図１５に示すように、断面コの字状の電池カバー２１０がカードキー本体２００の電池収容部２０１の開口２０２を被覆するように取り付けられることで電池収容部２０１を閉塞するものとがある。
ところで、図１４に示した電池カバー１１０の取付構成は、挿入突片部１１１の両側面に突設された三角形状の係合凸部１１２を電池収容部１０１の両側内壁に穿設された断面三角形状の係合凹部１０２に嵌め合わせることで、電池カバー１１０をカードキー本体１００に取り付ける。また、図１５に示した電池カバー２１０の取付構成は、図１６に示すように、断面コの字状の電池カバー２１０の上下の両端辺部２１１の内壁に突設された断面台形形状の係合凸部２１２を電池収容部２０１の開口２０２の近傍位置に穿設された断面台形形状の係合凹部２０３に嵌め合わせることで、電池カバー２１０をカードキー本体２００に取り付ける。なお、係合凸部２１２及び係合凹部２０３の台形部分となる傾斜面は、電池カバー２１０を摘んだ状態でカードキー本体２００からの引き抜きを可能にするため、緩やかな傾斜角度に設定されている。
しかしながら、このような係合凸部と係合凹部の嵌め合わせによって電池カバーをカードキー本体に取り付ける構成では、嵌合力が強いと電池カバーの取り外し操作が困難になる一方、嵌合力が弱いとカードキーを落とす等、衝撃を受けたときに電池カバーが不意に外れてしまうという不都合が生じてしまい、この相反する両方の課題を同時に解決することができなかった。
【先行技術文献】
【特許文献】
【０００３】
【特許文献１】特開２０１２−３６７１５号公報
【発明の概要】
【発明が解決しようとする課題】
【０００４】
本発明の課題は、電池カバーの取り外し操作が容易に行え、かつ衝撃を受けたときでも電池カバーが不意に外れるのを回避できるカードキーを提供することにある。
【課題を解決するための手段及び発明の効果】
【０００５】
上記課題を解決するために、本発明は、
車載機器との間で無線通信を行う電子部品（１２）を実装した回路基板（１０）及び該回路基板に電力を供給する電池（４）を収容するカードキー本体（２）を備えたカードキー（１）であって、
前記カードキー本体に形成されて前記電池を収容する電池収容部（３ｃ）と、
該電池収容部を開閉するように前記カードキー本体に対してスライドして着脱可能に設けられる電池カバー（５）と、を備え、
前記電池カバーは、２つの端辺部（５ａ，５ｂ）とこの各端辺部を連結する連結辺部（５ｃ）とを有する断面コの字形状に形成され、一方の端辺部である第１端辺部（５ａ）が撓み可能に設けられる一方、他方の端辺部である第２端辺部（５ｂ）の前記カードキー本体との対向面にはカードキー本体に形成された本体係合部（２２ａ，２２ｂ，４０ａ，４０ｂ，５１）と係合するカバー係合部（２０ａ，２０ｂ，４１ａ，４１ｂ，５２）が形成され、
前記本体係合部及び前記カバー係合部の各々の係合当接面（２５，２６，４２，４３）は、相互間の係合状態において前記電池カバーのスライド方向に対して９０°±４５°の範囲内の角度で延設された面で形成され、
前記カードキー本体には、前記電池カバーが装着された状態で前記第２端辺部との干渉を避けて前記第１端辺部の撓みを許容することにより電池カバーの引き抜きを可能にする干渉逃げ部（２３ａ，２３ｂ，３２）が設けられることを特徴とする。
【０００６】
本発明のカードキーによれば、電池カバーのカバー係合部とカードキー本体の本体係合部との係合により電池カバーがカードキー本体に取り付けられる。そして、相互間で係合するカバー係合部及び本体係合部の各係合当接面は、電池カバーのスライド方向に対して９０°±４５°の範囲内の角度で延設された面で形成されている。このため、カードキーを落とす等で衝撃を受けて電池カバーの引き抜き方向に強い力が加わっても電池カバーが不意に外れるのを回避できる。一方、電池カバーを取り外す際には、第２端辺部に設けられたカバー係合部とカードキー本体側の本体係合部との係合を解除する方向に第１端辺部を撓ませる操作を行い、この状態から電池カバーを引き抜くことで電池カバーの取り外し操作が容易に行える。
【図面の簡単な説明】
【０００７】
【図１】本発明の実施例１のカードキーを示す分解斜視図。
【図２】カードキーを示す平面図。
【図３】電池カバーをカードキー本体から取り外した状態を示す平面図。
【図４】電池カバーの係合凸部とカードキー本体の係合凹部との係合状態を示す一部断面図。
【図５】電池カバーの係合凸部とカードキー本体の係合凹部との係合を解除した状態を示す一部断面図。
【図６】カードキー本体の係合凹部と逃げ傾斜面との位置関係を示す平面図。
【図７】係合凸部の係合当接面を示す部分拡大断面図。
【図８】カードキー本体に設けられる逃げ傾斜面の変形例を示す一部断面図。
【図９】実施例２における電池カバーの係合凸部とカードキー本体の係合凹部との係合状態を示す一部断面図。
【図１０】実施例２における電池カバーの係合凸部とカードキー本体の係合凹部との係合を解除した状態を示す一部断面図。
【図１１】実施例３における電池カバーの係合凹部とカードキー本体の係合凸部との係合状態を示す一部断面図。
【図１２】実施例３における電池カバーの係合凹部とカードキー本体の係合凸部との係合を解除した状態を示す一部断面図。
【図１３】実施例４における電池カバーとカードキー本体とを示す平面図。
【図１４】従来の一例目のカードキーを示す図。
【図１５】従来の二例目のカードキーを示す図。
【図１６】従来の二例目のカードキーにおける係合凸部と係合凹部とを示す部分拡大断面図。
【発明を実施するための形態】
【０００８】
以下、本発明のカードキーの一実施形態である実施例１について図面を参照して説明する。
【０００９】
実施例１のカードキー１は、図１及び図２に示すように、車載機器（図示省略）との間で無線通信を行う電子部品１２を実装した回路基板１０が樹脂材料のケース（樹脂ケース３）により一体的に覆われるように形成されたカードキー本体２と、回路基板１０に電力を供給する電池としてのボタン型電池４と、カードキー本体２に対してスライドして着脱可能に設けられてボタン型電池４の脱落を防止する電池カバー５と、手動操作用の機械式キーであるメカキー６と、を備えている。
【００１０】
回路基板１０は、図２に示すように、片面の実装面１１上に電子部品１２が実装される。電子部品１２は、カードキー１が、車両側から認識コード（ＩＤコード）要求信号を受信し、それに対する応答信号を送信するものであり、アンテナ１３、パッケージ集積回路（パッケージＩＣ）１４もしくは他の部品１５から構成される。
【００１１】
メカキー６は、ボタン型電池４の電池切れやカードキー１の故障等を考慮した場合に使用される非常用のキーであり、例えばプレスの打抜き加工により略Ｌ字状に形成された金属製の板材から構成されて、樹脂ケース３内に形成されたメカキー収容部３ａに収容される。メカキー収容部３ａの一端には、メカキー挿入口３ｂが形成され、該メカキー挿入口３ｂからメカキー６が挿入されてメカキー収容部３ａ内に収容される。
【００１２】
カードキー本体２を構成する樹脂ケース３は、例えばエポキシ樹脂（ＥＰ）等の高強度の樹脂材料により横長方形の薄板形状に形成され、その長手方向の一端には、上記したメカキー収容部３ａのメカキー挿入口３ｂが形成されている。一方、樹脂ケース３の長手方向の他端側には、ボタン型電池４をカードキー本体２内に収容するための電池収容部３ｃが形成されている。電池収容部３ｃの開口側には、回路基板１０上の電子部品１２とボタン型電池４とを電気的に接続する上下一対の電池ターミナル７ａ，７ｂが設けられ、該電池ターミナル７ａ，７ｂ間の空間が電池収容部３ｃにボタン型電池４を挿入するための電池挿入口７ｃを構成する。
【００１３】
電池ターミナル７ａは、ボタン型電池４のプラス極に接触するプラス極側とされる一方、電池ターミナル７ｂは、ボタン型電池４のマイナス極に接触するマイナス極側とされている。また、電池ターミナル７ａ，７ｂは、ボタン型電池４の厚みよりも極僅かだけ間隔が狭くなるように各中間部が互いに離間する曲げ形状に形成されている。電池ターミナル７ａ，７ｂ言い換えれば電池挿入口７ｃの両端に位置する樹脂ケース３の部分には、図３に示すように、それぞれ電池カバー５をカードキー本体２に装着した状態で電池カバー５の外表面をカードキー本体２（樹脂ケース３）の外表面と面一にする段付き形状のカバー取付部８ａ，８ｂが形成されている。
【００１４】
カバー取付部８ａ，８ｂの基部側すなわち電池収容部３ｃ側となる上面は、電池カバー５のスライド方向Ｘ１−Ｘ２と平行であり、かつ電池カバー５が装着された状態で後述する第２端辺部５ｂの内壁面と当接する上側当接面２１ａ，２１ｂ（当接面）として形成されている。上側当接面２１ａ，２１ｂには、それぞれ平面視で円形状に凹んで後述する係合凸部２０ａ，２０ｂと係合する本体係合部としての係合凹部２２ａ，２２ｂが形成されている。一方、カバー取付部８ａ，８ｂの先端側の上面には、図４及び図５に示すように、それぞれ先端側に向けて下り傾斜した干渉逃げ部としての逃げ傾斜面２３ａ，２３ｂが形成されている。また、カバー取付部８ａ，８ｂの下面全体は、電池カバー５のスライド方向Ｘ１−Ｘ２と平行であり、かつ電池カバー５が装着された状態で後述する第１端辺部５ａの内壁面と当接する下側当接面２４ａ，２４ｂとして形成されている。
【００１５】
カバー取付部８ａに形成される係合凹部２２ａは、図６に示すように、逃げ傾斜面２３ａにおける電池カバー５のスライド装着方向Ｘ１の延長線Ｌ上に配置されている。また、図示しないが同様に、カバー取付部８ｂに形成される係合凹部２２ｂは、逃げ傾斜面２３ｂにおける電池カバー５のスライド装着方向Ｘ１の延長線Ｌ上に配置されている。
【００１６】
電池カバー５は、下側の端辺部となる第１端辺部５ａと、上側の端辺部となる第２端辺部５ｂと、この各端辺部５ａ，５ｂを連結する連結辺部５ｃとを有する断面コの字形状に形成されるとともに、電池収容部３ｃ（電池挿入口７ｃ）を開閉するようにカードキー本体２に対してスライドして着脱可能に設けられる。第２端辺部５ｂにおけるカードキー本体２側の各カバー取付部８ａ，８ｂとの対向面、言い換えれば電池カバー５のスライド方向Ｘ１−Ｘ２と直交する横幅方向の両端側の内壁面には、平面視で円形状に突出して前述した係合凹部２２ａ，２２ｂと個々に係合するカバー係合部としての係合凸部２０ａ，２０ｂが形成されている。
【００１７】
また、電池カバー５は、曲げ弾性率が高くかつ高強度の材料（例えばＡＢＳやポリカーボネイト等の樹脂材料あるいはステンレス等の金属材料）から形成されることで、断面コの字形状を形成する第１及び第２の端辺部５ａ，５ｂ、連結辺部５ｃがそれぞれ撓み可能に設けられている。
【００１８】
ところで、相互間の係合により電池カバー５をカードキー本体２に取り付けるカードキー本体２の係合凹部２２ａ，２２ｂ、及び電池カバー５の係合凸部２０ａ，２０ｂは、それぞれ電池カバー５の引き抜き方向Ｘ２側の面が係合当接面２５，２６をなしている（図４，５参照）。係合凸部２０ａ，２０ｂの係合当接面２６は、図７に示すように、係合当接面２５との係合状態において電池カバー５のスライド方向Ｘ１−Ｘ２に対して垂直な面（９０°）で形成されている。図示しないがこれと対応して同様に、係合凹部２２ａ，２２ｂの係合当接面２５は、係合当接面２６との係合状態において電池カバー５のスライド方向Ｘ１−Ｘ２に対して垂直な面（９０°）で形成されている。
【００１９】
次に、実施例１のカードキー１においてボタン型電池４を交換する際にカードキー本体２に対して電池カバー５を着脱する操作について説明する。まず、電池カバー５がカードキー本体２に装着された状態では、図４に示すように、電池カバー５の係合凸部２０ａ，２０ｂがそれぞれカードキー本体２の係合凹部２２ａ，２２ｂに内嵌された状態となる。このため、カードキー１を落とす等で衝撃を受けて電池カバー５の引き抜き方向（Ｘ２方向）に強い力が加わっても、スライド方向Ｘ１−Ｘ２に対して垂直な面となる各係合当接面２５，２６同士の当接係合により、電池カバー５の取り付け状態をしっかりと維持することができ、結果として電池カバー５が不意に外れるのを回避できる。
【００２０】
また、電池カバー５の装着状態では、電池カバー５の下側辺となる第１端辺部５ａの内壁面がカードキー本体２側の下側当接面２４ａ，２４ｂと当接するとともに、電池カバー５の上側辺となる第２端辺部５ｂの内壁面がカードキー本体２側の上側当接面２１ａ，２１ｂと当接する。このため、カードキー本体２に対する電池カバー５のガタ付きが回避でき、電池カバー５をしっかりとカードキー本体２に取り付けることができる。しかも、電池カバー５に設けられるカバー係合部としての係合凸部２０ａ，２０ｂは、スライド方向Ｘ１−Ｘ２と直交する横幅方向の両端側となる２箇所に設けられるため、電池カバー５の両端部分に浮きが生じるという不具合を回避することができる。
【００２１】
そして、古いボタン型電池４をカードキー１から取り出すために電池カバー５を取り外す際には、電池カバー５の各端辺部５ａ，５ｂを上下方向から挟み込むようにして摘み、この状態から図５に示すように、上側の第２端辺部５ｂの先端部分を押し上げるように下側の第１端辺部５ａを撓ませる。このとき、連結辺部５ｃ側となる第２端辺部５ｂの部分は、先端部分とは逆に押し下げ方向に移動することになるが、このような第２端辺部５ｂの連結辺部５ｃ側部分の押し下げ、言い換えれば第１端辺部５ａの撓みは、カバー取付部８ａ，８ｂの逃げ傾斜面２３ａ，２３ｂが第２端辺部５ｂとの干渉を避けることで許容される。
【００２２】
上記した第１端辺部５ａの撓みにより第２端辺部５ｂの先端部分の押し上げを推し進めると、これに伴って電池カバー５の係合凸部２０ａ，２０ｂがそれぞれカードキー本体２の係合凹部２２ａ，２２ｂとの係合を解除する方向に移動することになる。第１端辺部５ａの撓みにより係合凸部２０ａ，２０ｂと係合凹部２２ａ，２２ｂとの係合が解除されると、この状態から電池カバー５を引き抜き方向Ｘ２にスライドさせてカードキー本体２から取り外す。
【００２３】
その後、古いボタン型電池４を電池収容部３ｃから取り出して新しいボタン型電池４を電池収容部３ｃにセットすると、電池カバー５をカードキー本体２に取り付ける。電池カバー５の取り付け手順としては、内壁面に係合凸部２０ａ，２０ｂが突設された第２端辺部５ｂを、係合凹部２２ａ，２２ｂが形成されたカバー取付部８ａ，８ｂの上面と対応させ、この状態から第１及び第２の各端辺部５ａ，５ｂ間にカバー取付部８ａ，８ｂを挟み込むようにして電池カバー５をスライド装着方向Ｘ１にスライドさせ、最終的には係合凸部２０ａ，２０ｂを個々に係合凹部２２ａ，２２ｂに内嵌してカードキー本体２に対する電池カバー５の取り付けが完了する。
【００２４】
なお、上記した電池カバー５のスライド装着において、カバー取付部８ａ，８ｂの先端側上面に形成された逃げ傾斜面２３ａ，２３ｂは、カバー取付部８ａ，８ｂの上面に沿った係合凸部２０ａ，２０ｂのスライドを案内して、電池カバー５の取り付け操作を行い易いようにしている。また、前述したように係合凸部２０ａ，２０ｂと係合する係合凹部２２ａ，２２ｂは、それぞれ逃げ傾斜面２３ａ，２３ｂの延長線Ｌ上に配置されている。このため、逃げ傾斜面２３ａ，２３ｂ上に沿ってスライドした係合凸部２０ａ，２０ｂは、そのまま係合凹部２２ａ，２２ｂに送り込まれることになり、電池カバー５のスライド装着をスムーズにしている。
【００２５】
以上の説明からも明らかなように、実施例１のカードキー１によれば、電池カバー５の係合凸部２０ａ，２０ｂとカードキー本体２の係合凹部２２ａ，２２ｂとの係合により電池カバー５がカードキー本体２に取り付けられる。そして、相互間で係合する係合凹部２２ａ，２２ｂ及び係合凸部２０ａ，２０ｂの各係合当接面２５，２６は、相互間の係合状態において電池カバー５のスライド方向Ｘ１−Ｘ２に対して９０°の角度で延設された面で形成されている。このため、カードキー１を落とす等で衝撃を受けて電池カバー５の引き抜き方向（Ｘ２方向）に強い力が加わっても電池カバー５が不意に外れるのを回避できる。一方、電池カバー５を取り外す際には、第２端辺部５ｂに設けられた係合凸部２０ａ，２０ｂとカードキー本体２側の係合凹部２２ａ，２２ｂとの係合を解除する方向に第１端辺部５ａを撓ませる操作を行い、この状態から電池カバー５を引き抜くことで電池カバー５の取り外し操作が容易に行える。
【００２６】
なお、実施例１では、電池カバー５のスライド方向Ｘ１−Ｘ２に対して係合当接面２５，２６をそれぞれ垂直な面（９０°）で形成しているが、この構成に限定するものではない。すなわち、本発明に係る本体係合部及びカバー係合部の各々の係合当接面は、相互間の係合状態において電池カバーのスライド方向に対して約９０°の角度で延設された面で形成されたものであればよい。具体的には、図７に示す角度αを４５°として、電池カバー５のスライド方向Ｘ１−Ｘ２に対して９０°±４５°の範囲内の角度で延設された面（図７中に一点鎖線で示す部分の面）で形成された係合当接面２５，２６であればよい。ただし、電池カバー５の取り外し操作を行い易くした上で、強い衝撃を受けた場合でも確実に電池カバー５の外れを回避するためには、スライド方向Ｘ１−Ｘ２に対して９０°±３０°の範囲内の角度で延設された面で係合当接面２５，２６を形成することが望ましく、より望ましくは実施形態中に記載したスライド方向Ｘ１−Ｘ２に対して垂直な面（９０°）で係合当接面２５，２６を形成することである。
【００２７】
また、実施例１では、カードキー本体２から電池カバー５を取り外す場合、カバー取付部８ａ，８ｂの逃げ傾斜面２３ａ，２３ｂが第２端辺部５ｂとの干渉を避けることで第１端辺部５ａの撓みを許容し、係合凸部２０ａ，２０ｂと係合凹部２２ａ，２２ｂとの係合を完全に解除させて電池カバー５を引き抜く構成としている。すなわち、本発明に係るカバー係合部は、少なくとも第２端辺部の内壁面と逃げ傾斜面とが面接触した状態で本体係合部との係合を解除する構成であり、これにより電池カバーの引き抜き操作がスムーズに行えるようにしている。
【００２８】
しかしながら、必ずしも上記した構成に限定するものではなく、例えば、図８に示すように、第２端辺部５ｂの内壁面と逃げ傾斜面２３ａ，２３ｂとが面接触した状態で係合凸部２０ａ，２０ｂと係合凹部２２ａ，２２ｂとの係合が若干残る（係合当接面２６の先端部分が係合当接面２５の先端部分に係合する）ようにして、この状態から電池カバー５を引き抜き操作するようにしてもよい。この場合、電池カバー５の引き抜き操作に伴い第２端辺部５ｂを撓ませ、これによって係合凸部２０ａ，２０ｂと係合凹部２２ａ，２２ｂとの係合を完全に解除することで電池カバー５の取り外しが可能になる。
【００２９】
なお、電池カバー５のスライド方向Ｘ１−Ｘ２に対する逃げ傾斜面２３ａ，２３ｂの傾斜角度βは、図８に示した第２端辺部５ｂの内壁面と逃げ傾斜面２３ａ，２３ｂとが面接触した状態で係合凸部２０ａ，２０ｂと係合凹部２２ａ，２２ｂとの係合が若干残る構成を含み、５°〜４５°の範囲内であればいずれの傾斜角度であってもよい。
【００３０】
以上、本発明の一実施形態を実施例１として説明したが、これはあくまでも例示にすぎず、本発明はこれに限定されるものではない。例えば上記実施形態において一部の構成要件を省略する、さらには他の構成要件を追加する等、当業者の知識に基づく種々の変更が可能である。これは以下で述べる実施例２〜４においても同様である。
【００３１】
以下、上記実施形態（実施例１）とは異なる実施例２〜４について説明する。ただし、共通の構成要件については同じ符号を付するのみとし、説明を省略する。
【００３２】
図９及び図１０に示すように、実施例２の構成では、電池カバー５の第２端辺部５ｂの内壁面に形成された係合凸部２０ａ，２０ｂにおいて、電池カバー５の引き抜き方向Ｘ２側の面は、実施例１と同様にカードキー本体２側の係合当接面２５と係合する係合当接面２６として形成される。一方、電池カバー５の引き抜き方向Ｘ２とは反対側、言い換えれば電池カバー５のスライド装着方向Ｘ１側の面は、電池カバー５のスライド方向Ｘ１−Ｘ２に沿って傾斜して電池カバー５のスライド装着を案内する案内傾斜面３０として形成される。また、カードキー本体２側の係合凹部２２ａ，２２ｂには、案内傾斜面３０と対応した嵌入傾斜面３１が形成される。
【００３３】
また、実施例２では、カードキー本体２側のカバー取付部８ａ，８ｂにおいて、係合凹部２２ａ，２２ｂが形成される上側当接面２１ａ，２１ｂの先端部から先の部分、すなわち実施例１の構成として逃げ傾斜面２３ａ，２３ｂが形成された部分は削除され、代わりにこの空間部分が、電池カバー５を取り外す際に第２端辺部５ｂとの干渉を避けることで第１端辺部５ａの撓みを許容する逃げ空間部３２を構成する。
【００３４】
しかして、実施例２の構成によれば、カードキー本体２から電池カバー５を取り外す場合、図９の状態から電池カバー５を摘んで連結辺部５ｃ側となる第２端辺部５ｂの部分を逃げ空間部３２に向けて押し下げる。これにより、図１０に示すように、係合凸部２０ａ，２０ｂと係合凹部２２ａ，２２ｂとの係合を解除して、この状態から電池カバー５を引き抜き方向Ｘ２にスライドさせてカードキー本体２から取り外す。
【００３５】
一方、電池カバー５をカードキー本体２に取り付ける場合には、第２端辺部５ｂを係合凹部２２ａ，２２ｂが形成されたカバー取付部８ａ，８ｂの上面と対応させ、この状態から第１及び第２の各端辺部５ａ，５ｂ間にカバー取付部８ａ，８ｂを挟み込むようにして電池カバー５をスライド装着方向Ｘ１にスライドさせ、係合凸部２０ａ，２０ｂを個々に係合凹部２２ａ，２２ｂに内嵌して電池カバー５を取り付ける。このとき、実施例２では、カードキー本体２側の構成として電池カバー５のスライド装着を案内する逃げ傾斜面２３ａ，２３ｂは設けられないが、その代わりに電池カバー５の係合凸部２０ａ，２０ｂに設けられた案内傾斜面３０が電池カバー５のスライド装着を案内してスムーズな電池カバー５の取り付け操作を可能にする。
【００３６】
また、図１１及び図１２に示すように、実施例３の構成では、カードキー本体２側のカバー取付部８ａ，８ｂに本体係合部として凸形状の係合凸部４０ａ，４０ｂが形成され、これに対応して電池カバー５の第２端辺部５ｂの内壁面にはカバー係合部として凹形状の係合凹部４１ａ，４１ｂが形成される。そして、係合凸部４０ａ，４０ｂ及び係合凹部４１ａ，４１ｂのスライド装着方向Ｘ１側の面が、相互間の係合状態において電池カバー５のスライド方向Ｘ１−Ｘ２に対して垂直な面（９０°）で形成された係合当接面４２，４３をなしている。
【００３７】
また、実施例３の本体係合部を構成する係合凸部４０ａ，４０ｂにおいて、係合当接面４２が形成された面とは反対側の面となる電池カバー５の引き抜き方向Ｘ２側の面は、電池カバー５のスライド方向Ｘ１−Ｘ２に沿って傾斜して電池カバー５のスライド装着を案内する案内傾斜面４４として形成される。なお、電池カバー５側の係合凹部４１ａ，４１ｂには、案内傾斜面４４と対応した嵌入傾斜面４５が形成される。
【００３８】
しかして、実施例３の構成によれば、カードキー本体２から電池カバー５を取り外す場合、図１１の状態から電池カバー５を摘んで連結辺部５ｃ側となる第２端辺部５ｂの部分を押し下げる。これにより、図１２に示すように、電池カバー５の係合凹部４１ａ，４１ｂとカードキー本体２側の係合凸部４０ａ，４０ｂとの係合を解除して、この状態から電池カバー５を引き抜き方向Ｘ２にスライドさせてカードキー本体２から取り外す。
【００３９】
一方、電池カバー５をカードキー本体２に取り付ける場合には、第２端辺部５ｂを係合凸部４０ａ，４０ｂが形成されたカバー取付部８ａ，８ｂの上面と対応させ、この状態から第１及び第２の各端辺部５ａ，５ｂ間にカバー取付部８ａ，８ｂを挟み込むようにして電池カバー５をスライド装着方向Ｘ１にスライドさせ、係合凹部４１ａ，４１ｂを個々に係合凸部４０ａ，４０ｂに嵌め合わせて電池カバー５を取り付ける。このとき、実施例３では、カードキー本体２側の係合凸部４０ａ，４０ｂに設けられた案内傾斜面４４が電池カバー５のスライド装着を案内してスムーズな電池カバー５の取り付け操作を可能にする。
【００４０】
なお、実施例３では、カードキー本体２側の係合凸部４０ａ，４０ｂと係合するカバー係合部として、電池カバー５の第２端辺部５ｂに凹形状の係合凹部４１ａ，４１ｂを設けているが、このような凹形状のものに限らず、第２端辺部５ｂを上下方向に貫通する穴形状のものでカバー係合部を構成してもよい。
【００４１】
また、以上説明した実施例１〜３では、カバー係合部及び本体係合部をそれぞれ平面視で円形状に形成してこれを２箇所に設けた構成としているが、カバー係合部及び本体係合部の形状及び数は特に限定するものではない。例えば、図１３に示す実施例４のように、カードキー本体２側のカバー取付部５０に本体係合部として平面視で長方形状の係合凹部５１を１箇所に設け、これに対応して電池カバー５の第２端辺部５ｂの内壁面にカバー係合部として平面視で長方形状の係合凸部５２を１箇所に設けるようにしてもよい。
【００４２】
また、カードキーの外形形状やカードキー本体に対する電池の収容位置についても実施形態中に記載の構成に限定するものではない。また、実施形態中では、カードキー本体に収容される電池としてボタン型電池を例示しているが、このボタン型電池とは、ボタン型の電池はもとより、コイン型電池あるいはマメ電池等を含む総称としてのボタン型電池であればよく、さらにはこのようなボタン型電池以外の電池を回路基板の電力源として収容するカードキーに本発明を適用することも可能である。
【符号の説明】
【００４３】
１  カードキー
２  カードキー本体
３  樹脂ケース
３ｃ  電池収容部
４  ボタン型電池（電池）
５  電池カバー
５ａ  第１端辺部
５ｂ  第２端辺部
５ｃ  連結辺部
６  メカキー
７ａ，７ｂ  電池ターミナル
８ａ，８ｂ  カバー取付部
１０  回路基板
１２  電子部品
２０ａ，２０ｂ  係合凸部（カバー係合部）
２１ａ，２１ｂ  上側当接面（当接面）
２２ａ，２２ｂ  係合凹部（本体係合部）
２３ａ，２３ｂ  逃げ傾斜面（干渉逃げ部）
２５，２６  係合当接面
３０  案内傾斜面
【図１】
2014077245.tif 000003
【図２】
2014077245.tif 000004
【図３】
2014077245.tif 000005
【図４】
2014077245.tif 000006
【図５】
2014077245.tif 000007
【図６】
2014077245.tif 000008
【図７】
2014077245.tif 000009
【図８】
2014077245.tif 000010
【図９】
2014077245.tif 000011
【図１０】
2014077245.tif 000012
【図１１】
2014077245.tif 000013
【図１２】
2014077245.tif 000014
【図１３】
2014077245.tif 000015
【図１４】
2014077245.tif 000016
【図１５】
2014077245.tif 000017
【図１６】
2014077245.tif 000018